(57)【要約】      （修正有）【課題】取付の際の作業負担を軽減して簡易に取り付けることができる吊り金具を提供する。【解決手段】天井構造１の取付部２Ａが差し込まれるガイド溝２５を有する本体部２０、及び本体部２０のガイド溝２５に取付部２Ａが差し込まれた状態で取付部２Ａに当接して本体部２０を取付部２Ａに固定する締結部３０を備え、本体部２０が取付部２Ａに固定された状態で本体部２０に吊下物が吊り下げられる吊り金具１０において、取付部２Ｂに係止する第１係止部を先端４１ａ側に有するとともに本体部２０に係止する第２係止部を基端４１ｂ側に有する棒状の係止部材４１をガイド溝２５に沿って本体部２０に保持する保持部２７が本体部２０に設けられる。【選択図】図４
2018003524.tif 000002
【特許請求の範囲】
【請求項１】
天井構造の取付部が差し込まれるガイド溝を有する本体部、及び該本体部の前記ガイド溝に前記取付部が差し込まれた状態で該取付部に当接して前記本体部を前記取付部に固定する締結部を備え、前記本体部が前記取付部に固定された状態で前記本体部に吊下物が吊り下げられる吊り金具において、
前記取付部に係止する第１係止部を先端側に有するとともに前記本体部に係止する第２係止部を基端側に有する棒状の係止部材を前記ガイド溝に沿って前記本体部に保持する保持部が前記本体部に設けられたことを特徴とする吊り金具。
【請求項２】
前記本体部は、
該本体部の前記ガイド溝に沿って延在して前記本体部の外側に突出して形成された一対のフランジを備え、
該各フランジの下方において前記保持部が前記各フランジと一体的に形成されたことを特徴とする請求項１に記載の吊り金具。
【請求項３】
前記保持部は、
棒状の前記係止部材の外周面に倣った内周面を有して形成され、
前記係止部材が前記保持部に挿通されることによって前記係止部材が前記本体部に保持されることを特徴とする請求項１または２に記載の吊り金具。
【発明の詳細な説明】
【技術分野】
【０００１】
本発明は、吊り金具、特に、天井構造物の取付部が差し込まれるガイド溝を有する本体部、及び本体部のガイド溝に取付部が差し込まれた状態で取付部に当接して本体部を取付部に固定する締結部を備え、本体部が取付部に固定された状態で本体部に吊下物が吊り下げられる吊り金具に関する。
【背景技術】
【０００２】
例えば、工場施設等の施設内において、天井構造物からエアコン、あるいはダクトや配管といった吊下物を吊り下げる場合は、天井構造物である梁として配設されたいわゆるＨ鋼やＩ鋼等の型鋼のフランジに吊り金具が取り付けられて、この吊り金具に吊下物が吊り下げられることによって、吊り金具を介して天井構造から吊下物が吊り下げられる（例えば、特許文献１を参照）。
【０００３】
この種の吊り金具としては、例えば、図６（ａ）及び（ｂ）の吊り金具の概略を説明する斜視図で示すように、上部１０１、上部１０１の両端から折曲して形成された両側部１０２、両側部１０２からそれぞれ互いに内側に折曲して中心線Ｃにおいて端部が突合された後部１０３及び下部１０４を有し、側面視で略コ字状に形成された吊り金具１００が知られている。
【０００４】
この吊り金具１００は、型鋼のフランジに差し込まれるガイド溝１０５が形成されるとともに、ガイド溝１０５に沿って互いに離間するように外側に突出して延在する一対のフランジ１０６、１０６が形成されている。
【０００５】
一方、一対のフランジ１０６、１０６の下方における両側部１０２には取付孔１０２ａが形成され、上部１０１には締結孔１０１ａが形成され、更に後部１０３には、補助締結孔１０３ａが形成されている。
【０００６】
この吊り金具１００を型鋼のフランジに取り付ける場合は、ガイド溝１０５に型鋼のフランジが差し込まれた状態において、上部１０１の締結孔１０１ａにボルト等の締結部材が挿入されて、吊り金具１００が型鋼のフランジに取り付けられる。
【０００７】
ところで、吊り金具１００を用いて吊り下げる吊下物が重量物である場合は、吊り金具１００を型鋼に強固に取り付ける観点から、補強部材が用いられることがある。
【０００８】
図７は、補強部材が用いられて吊り金具１００が型鋼に取り付けられた状態の概略を説明する図である。図示のように、吊り金具１００に型鋼１のフランジ２が差し込まれて、上部１０１の締結孔１０１ａを介してボルト１０７が締結された状態において、補強部材１２０が取り付けられている。
【０００９】
補強部材１２０は、先端側が折曲されて型鋼１のフランジ２に係止する鉤型の係止部１２１ａを有する棒状であって、後端側に雄ねじが形成された係止部材１２１を備える。
【００１０】
この係止部材１２１の係止部１２１ａが、型鋼１のフランジ２に係止される一方、係止部材１２１がその後端側から後部１０３の補助締結孔１０３ａに挿入されて、雄ねじが形成された係止部材１２１の後端側が補助締結孔１０３ａから突出せしめられる。
【００１１】
補助締結孔１０３ａから突出した係止部材１２１の後端側に、断面コ字状の台座１２２を介してナット１２３が締結されて補助部材１２０が吊り金具１００に取り付けられ、吊り金具１００の型鋼１のフランジ２への取付状態が補強される。
【００１２】
この状態において、吊り金具１００の両側部１０２に形成された取付孔１０２ａを介して連結金具１１０が取り付けられ、この連結金具１１０に、吊下物に連結された連結部材１１１が連結されることによって、吊り金具１００を介して型鋼１から吊下物が吊り下げられる。
【先行技術文献】
【特許文献】
【００１３】
【特許文献１】実開平７−３８８６２公報
【発明の概要】
【発明が解決しようとする課題】
【００１４】
しかし、上記のように、吊り金具１００を型鋼１のフランジ２に取り付けるに際して補強部材１２０を用いる場合は、ナット１２３を係止部材１２１に締結する際に、別部材である台座１２２を介してナット１２３が取り付けられることから、吊り金具１００を取り付ける際の部材点数が増加することとなる。
【００１５】
一般的に、吊り金具１００の取付作業は高所で行われることが多いことから、部材点数を増加させる台座１２２を別部材として取り付ける必要があるとすれば、取付作業が煩雑になって作業時間も増大することが懸念される。
【００１６】
さらに、高所での取付作業では、高度の安全性を確保する必要があることから、取付作業における注意義務が増大することも想定される。
【００１７】
本発明は、上記事情に鑑みてなされたものであり、取付の際の作業負担を軽減して簡易に取り付けることができる吊り金具を提供することを課題とするものである。
【課題を解決するための手段】
【００１８】
上記課題を解決するための請求項１に記載の発明による吊り金具は、天井構造の取付部が差し込まれるガイド溝を有する本体部、及び該本体部の前記ガイド溝に前記取付部が差し込まれた状態で該取付部に当接して前記本体部を前記取付部に固定する締結部を備え、前記本体部が前記取付部に固定された状態で前記本体部に吊下物が吊り下げられる吊り金具において、前記取付部に係止する第１係止部を先端側に有するとともに前記本体部に係止する第２係止部を基端側に有する棒状の係止部材を前記ガイド溝に沿って前記本体部に保持する保持部が前記本体部に設けられたことを特徴とする。
【００１９】
この構成によれば、吊り金具は、本体部に保持部が形成されていることから、吊り金具が天井構造物に取り付けられる際には、本体部に形成された保持部において、係止部材をガイド溝に沿って保持させておくことができる。
【００２０】
したがって、高所に配設される天井構造物に吊り金具を取り付けるに際して、本体部に形成された保持部に係止部材を予め保持させておくことによって、高所における取付作業の負担が軽減されて簡易に取り付けることができる。さらに、取付作業の負担が軽減される結果、高所での取付作業の安全性が確保される。
【００２１】
請求項２に記載の発明による吊り金具は、請求項１に記載の吊り金具において、前記本体部は、該本体部の前記ガイド溝に沿って延在して前記本体部の外側に突出して形成された一対のフランジを備え、該各フランジの下方において前記保持部が前記各フランジと一体的に形成されたことを特徴とする。
【００２２】
この構成によれば、本体部のガイド溝に沿って延在して本体部の外側に突出する一対のフランジが形成されていることから、ガイド溝に天井構造物の取付部が差し込まれた状態で締結部が取付部に当接して本体部が取付部に固定された際には、フランジに天井構造物の取付部が接面する。したがって、吊り金具の本体部が、天井構造物に対してガタツキを生じさせることなく安定して取り付けられる。
【００２３】
一方、保持部は、一対のフランジの下方においてフランジと一体的に形成されていることから、吊り金具の本体部の寸法の増大化を招くことがなく、本体部においてフランジと保持部とがコンパクトに配置される。したがって、高所における取付作業の負担が更に軽減される。
【００２４】
請求項３に記載の発明による吊り金具は、請求項１または２に記載の吊り金具において、前記保持部は、棒状の前記係止部材の外周面に倣った内周面を有して形成され、前記係止部材が前記保持部に挿通されることによって前記係止部材が前記本体部に保持されることを特徴とする。
【００２５】
この構成によれば、保持部の内周面は、係止部材の外周面に倣った形状に形成されていることから、保持部に保持されたままの状態で係止部材をガイド溝に沿って摺動させることができる。したがって、係止部材を天井構造物の取付部に係止させる際の位置調整を容易に行うことができる。
【発明の効果】
【００２６】
この発明によると、高所における取付作業の負担が軽減されることから、吊り金具を簡易に取り付けることができる。さらに、取付作業の負担が軽減される結果、高所での取付作業の安全性が確保される。
【図面の簡単な説明】
【００２７】
【図１】本発明の実施の形態に係る吊り金具の概略を説明する斜視図である。
【図２】図１のＡ矢視図である。
【図３】図１のＢ矢視図である。
【図４】同じく、本実施の形態に係る吊り金具が補強部材を用いて型鋼に取り付けられた状態の概略を説明する図である。
【図５】本実施の形態に係る吊り金具が取り付けられる型鋼の概略を説明する斜視図である。
【図６】従来の吊り金具の概略を説明する斜視図である。
【図７】補強部材を用いて、従来の吊り金具が型鋼に取り付けられた状態の概略を説明する図である。
【発明を実施するための形態】
【００２８】
次に、本発明の実施の形態について、図１〜図４に基づいて説明する。なお、本実施の形態において、吊り金具が、天井構造物である梁として配設された型鋼に取り付けられる場合を例として説明する。
【００２９】
本実施の形態の説明に先立って、図５に基づいて、本実施の形態に係る吊り金具が取り付けられる型鋼の概略を説明する。
【００３０】
図示のように、型鋼１は、取付部である下側フランジ２、上側フランジ３、及びこれら下側フランジ２と上側フランジ３との間で立設するウェブ４を主要構成として備えたいわゆるＨ鋼である。
【００３１】
型鋼１の下側フランジ２は、ウェブ４を介して第1翼２Ａと第２翼２Ｂとに区分され、上面２ａ、上面２ａから連続する側端面２ｂ、及び側端面２ｂから連続する下面２ｃを有する平板状に形成される。一方、上側フランジ３は、上面３ａ、上面３ａから連続する側端面３ｂ、及び側端面３ｂから連続する下面３ｃを有する平板状に形成される。
【００３２】
吊り金具は、このような型鋼１を介して、吊下物を天井構造から吊り下げる場合に用いられるものである。
【００３３】
図１は、本実施の形態に係る吊り金具の概略を説明する斜視図であり、図２は、図１のＡ矢視図、図３は、図１のＢ矢視図である。図示のように、吊り金具１０は、本体部２０、及び本体部２０に設けられた締結部３０を主要構成として備える。
【００３４】
本体部２０は、上部２１、上部２１の両端から折曲して形成された両側部２２、及び両側部２２からそれぞれ互いに内側に折曲して中心線Ｃにおいて端部が突合されて形成されて上部２１と対向する下部２３を有し、矢線ＦＲで示す本体部２０の前後方向の前側及び後側が開放された中空ボックス状に形成される。
【００３５】
この本体部２０には、本実施の形態では、型鋼１の下側フランジ２に差し込まれるガイド溝２５が形成されている。
【００３６】
このガイド溝２５は、両側部２２の前端縁２２ａから後側Ｒに向かって上部２１と平行に延在する上縁２５ａ、上縁２５ａから下方に折曲して両側部２２の後端縁２２ｂと平行に延在する側縁２５ｂ、側縁２５ｂから両側部２２の前端縁２２ａに向かって上部２１と平行に延在する下縁２５ｃを有し、前側Ｆから後側Ｒに向かって凹状に切り欠かれて形成される。
【００３７】
本体部２０には、このガイド溝２５の下縁２５ｃとほぼ面一となって、ガイド溝２５に沿って延在して本体部２０の外側に折曲して外側に突出する一対のフランジ２６が形成されている。この一対のフランジ２６の上面にはそれぞれ、本実施の形態では、起伏が連続するすべり止め２６ａが形成されている。
【００３８】
このフランジ２６の下方には、保持部２７が形成されている。保持部２７は、本実施の形態では、後述する丸棒状の係止部材の外周面に倣った内周面２７ａ、及びガイド溝２５の延在する方向に亘って一部が開放された開放部２７ｂを有する断面Ｃ字状であって、ガイド溝２５に沿って延在して形成されている。
【００３９】
この保持部２７は、本実施の形態では、フランジ２６の下方においてフランジ２６と一体的に形成されている。
【００４０】
一方、本体部２０には、両側部２２の下方に、吊下物に連結されたワイヤ等の連結部材が連結される図示しない連結金具が取り付けられる第１取付孔２８、及び第２取付孔２９が形成されるとともに、本体部２０の上部２１及び両側部２２の上方に、サービスホール２１ａ、２２ｃが形成されている。
【００４１】
締結部３０は、本実施の形態では、ボルト３１及びＬ字金具３２によって構成されている。ボルト３１は、本実施の形態では、先端３１ｂを有する軸部３１ａに雄ねじが形成された汎用品であって、本体部２０の上部２１に形成された穿孔２１ｂに挿通されることによって、本体部２０に係止する。
【００４２】
一方、Ｌ字金具３２は、本実施の形態では、金属製の帯状であって、端部に形成された外側に突出する係止部３２ａが本体部２０の上部２１に形成されたスリット２１ｃに挿通されることによって、本体部２０に係止する。
【００４３】
このＬ字金具３２は、垂直に延在する基部３２ｂ、及び基部３２ｂから後側Ｒに向かって折曲してボルト３１の軸部３１ａの先端部３１ｂの下方に延在する水平部３２ｃを有する側面視略Ｌ字状に形成される。
【００４４】
図４は、型鋼１に吊り金具１０が取り付けられた状態の概略を説明する図である。図示のように、吊り金具１０は、型鋼１の下側フランジ２に取り付けられており、本実施の形態では、吊り金具１０を型鋼１に強固に取り付ける観点から、補強部材４０が用いられている。
【００４５】
この補強部材４０は、係止部材４１、係止部材４１に係合するナット４２及びワッシャ４３ａ、４３ｂを主要構成として備える。係止部材４１は、本実施の形態では、先端４１ａ及び基端４１ｂを有する丸棒状の金属製であって、先端４１ａ側が基端４１ｂ側に向かって屈曲して鉤状に形成された第１係止部である鉤状部４１ｃ、及び基端４１ｂ側に形成された雄ねじ４１ｄを備える。
【００４６】
ナット４２及びワッシャ４３ａ、４３ｂは、本実施の形態では、雄ねじ４１ｄを介して係止部材４１に係合する汎用品であって、雄ねじ４１ｄ、ナット４２及びワッシャ４３ａ、４３ｂによって、第２係止部が構成される。
【００４７】
このような吊り金具１０を、補強部材４０を用いて型鋼１に取り付ける場合は、まず、一対のフランジ２６とそれぞれ一体的に形成された保持部２７のそれぞれに、係止部材４１を保持させる。係止部材４１は、その基端４１ｂ側から保持部２７に向けて挿通されることによって、保持部２７を介して、ガイド溝２５に沿って本体部２０に保持される。
【００４８】
保持部２７は、丸棒状の係止部材４１の外周面に倣った内周面２７ａを有することから、保持部２７と係止部材４１との間でガタツキが生じることなく、保持部２７と係止部材４１とが適合した状態で本体部２０に保持される。
【００４９】
このとき、本体部２０に保持された係止部材４１の基端４１ｂ側に形成された雄ねじ４１ｄに、ナット４２及びワッシャ４３ａ、４３ｂを緩慢に係合させておき、この状態で、ガイド溝２５を介して吊り金具１０を型鋼１の下側フランジ２の第1翼２Ａに差し込む。
【００５０】
一方、係止部材４１の先端４１ａ側に形成された鉤状部４１ｃにおいて、係止部材４１を型鋼１の下側フランジ２の第２翼２Ｂに係止させる。
【００５１】
ガイド溝２５を下側フランジ２の第1翼２Ａに差し込む際、及び係止部材４１を下側フランジ２の第２翼２Ｂに係止させる際には、係止部材４１の雄ねじ４１ｄに緩慢に係合させたナット４２及びワッシャ４３ａ、４３ｂを前側Ｆあるいは後側Ｒの適宜な位置に移動させる。
【００５２】
ナット４２及びワッシャ４３ａ、４３ｂを前側Ｆあるいは後側Ｒの適宜な位置に移動させた後、係止部材４１の基端４１ｂ側に形成された雄ねじ４１ｄに緩慢に係合されたナット４２及びワッシャ４３ａ、４３ｂを、フランジ２６の後端面を座面として締めつけることにより、雄ねじ４１ｄにナット４２及びワッシャ４３ａ、４３ｂが締結される。これにより、係止部材４１が下側フランジ２の第２翼２Ｂに係止される。
【００５３】
係止部材４１の雄ねじ４１ｄへのナット４２及びワッシャ４３ａ、４３ｂの締結と前後して、締結部３０のボルト３１を締結方向に締めつけると、Ｌ字金具３２の水平部３２ｃが下側フランジ２の第1翼２Ａの上面２ａに当接して押圧する。これにより、吊り金具１０が型鋼１に固定されて取り付けられる。
【００５４】
このように、締結部３０によって、吊り金具１０が型鋼１に固定されて取り付けられる際に、係止部材４１が下側フランジ２の第２翼２Ｂに係止されることから、吊り金具１０が型鋼１に強固に取り付けられる。
【００５５】
この状態で、吊下物の種類や取付位置、あるいは型鋼１への吊り金具１０の取付状況等に応じて、図示しない連結金具が取り付けられる第１取付孔２８あるいは第２取付孔２９が適宜選択されて、選択された第１取付孔２８あるいは第２取付孔２９に、連結金具が取り付けられる。
【００５６】
この連結金具に、本実施の形態では、吊下物に連結されたワイヤ等の図示しない連結部材が連結されることによって、吊り金具１０を介して吊下物が型鋼１に吊り下げられる。
【００５７】
このように、本実施の形態の吊り金具１０が型鋼１に取り付けられる際には、本体部２０に形成された保持部２７において、係止部材４１をガイド溝２５に沿って保持させておくことができる。
【００５８】
したがって、天井構造物である梁として配設された高所の型鋼１に吊り金具１０を取り付けるに際して、本体部２０に形成された保持部２７に係止部材４１を予め保持させておくことによって、高所における取付作業の負担が軽減されて簡易に取り付けることができる。さらに、取付作業の負担が軽減される結果、高所での取付作業の安全性が確保される。
【００５９】
ガイド溝２５を下側フランジ２の第1翼２Ａに差し込んで、締結部３０のボルト３１を締め付けて吊り金具１０を型鋼１に取り付けると、本体部２０のガイド溝２５に沿って延在して本体部２０の外側に突出する一対のフランジ２６が形成されていることから、フランジ２６に型鋼１の下側フランジ２の下面２ｃが接面する。したがって、吊り金具１０の本体部２０が、型鋼１に対してガタツキを生じさせることなく安定して取り付けられる。
【００６０】
一方、保持部２７は、フランジ２６の下方においてフランジ２６と一体的に形成されていることから、吊り金具１０の本体部２０の寸法の増大化を招くことがなく、本体部２０においてフランジ２６と保持部２７とがコンパクトに配置される。したがって、高所における取付作業の負担が更に軽減される。
【００６１】
保持部２７の内周面２７ａは、係止部材４１の外周面に倣った形状に形成されていることから、保持部２７に保持されたままの状態で係止部材４１を前後方向ＦＲに摺動させることができる。したがって、係止部材４１を型鋼１の下側フランジ２の第２翼２Ｂに係止させる際の位置調整を容易に行うことができる。
【００６２】
なお、本発明は上記実施の形態に限定されることはなく、発明の趣旨を逸脱しない範囲で種々変更可能である。上記実施の形態では、吊り金具１０が取り付けられる型鋼１がＨ鋼である場合を説明したが、Ｈ鋼に限定されるものではなく、例えばＩ鋼であってもよい。
【００６３】
上記実施の形態では、吊り金具１０を介して天井構造物から吊り下げられる吊下物の種類について特に言及していないが、吊下物としては、例えば業務用エアコンディショナ、吸排気等のダクトや配管類、各種レール等、天井構造物に近接して配設される各種の構造物が吊り下げられる。
【符号の説明】
【００６４】
１    型鋼（天井構造物）
２    下側フランジ（取付部）
１０    吊り金具
２０    本体部
２５    ガイド溝
２６    フランジ
２７    保持部
３０    締結部
３１    ボルト
３２    Ｌ字金具
４０    補強部材
４１    係止部材
４１ａ    先端
４１ｂ    基端
４１ｃ    鉤状部（第１係止部）
４１ｄ    雄ねじ（第２係止部）
４２    ナット（第２係止部）
４３ａ、４３ｂ    ワッシャ（第２係止部）
【図１】
2018003524.tif 000003
【図２】
2018003524.tif 000004
【図３】
2018003524.tif 000005
【図４】
2018003524.tif 000006
【図５】
2018003524.tif 000007
【図６】
2018003524.tif 000008
【図７】
2018003524.tif 000009